(57)【特許請求の範囲】
【請求項１】
奏者の唇の振動を音に変えて内部へ取り込むマウスピースと、
前記マウスピースで取り込まれた前記音の音量を拡大して外部へ放出するベルと、
前記マウスピースと前記ベルの間に介在する主管と、
を備える金管楽器であって、
前記主管は、同一平面状において、側面を密着させた状態で渦巻状に広がるように形成された主管本体と、
前記主管本体に基端部を取り付け、前記主管本体の厚さ方向に前記基端部と互い違いとなり、前記主管本体の側面に先端部を位置させて、前記マウスピース側と接続する主管接続部と、を有し、
前記主管本体における前記密着した一方の管の側面の一部が、前記密着した他方の管の側面の一部を形成することを特徴とする金管楽器。
【請求項２】
前記主管は、樹脂製部材で成形されていることを特徴とする請求項１に記載の金管楽器。
【発明の詳細な説明】
【技術分野】
【０００１】
本発明は、金管楽器の小型軽量化に関する。
【背景技術】
【０００２】
トランペットは、奏者の唇から発する振動を音に変換するマウスピースと、音を増幅して出力するベルと、これらを連通する主管とから構成される金管楽器の一種である。トランペットの中でも、主管に音程を変化させるバルブシステムを備えず、高次倍音を奏でるものは、ナチュラルトランペットと呼ばれる。
【０００３】
関連のある技術として、特許文献１（従来例）には、図１７で示すように、音程を変化させる調整バルブ２２３〜２２５が設けられる主管２２２に加えて、マウスピース２２０とベル２２１とを連結する副管２３４を設けた金管楽器２００が開示されている。また特許文献１には、切替えバルブ２３２、２３３を用いて、マウスピース２２０からベル２２１までを連通させる管を、主管２２２もしくは副管２３４のいずれかに切り替えることで、よりナチュラルトランペットに近い音色を実現することも開示されている。
【先行技術文献】
【特許文献】
【０００４】
【特許文献１】特開昭５５−１０１９９１号
【発明の概要】
【発明が解決しようとする課題】
【０００５】
特許文献１に開示された金管楽器２００は、図１７で示すように、基礎となる構成部品（マウスピース２２０、主管２２２およびベル２２１）に加えて、副管２３４および切替えバルブ２３２、２３３を追加するため、その分大きさおよび重量が増加する問題があった。
【０００６】
本発明は、上述した事情に鑑みてなされるものであって、小型軽量化を実現する金管楽器を提供することを目的とする。
【課題を解決するための手段】
【０００７】
上記課題を解決するためになされた請求項１に記載の発明は、奏者の唇の振動を音に変えて内部へ取り込むマウスピースと、前記マウスピースで取り込まれた前記音の音量を拡大して外部へ放出するベルと、前記マウスピースと前記ベルの間に介在する主管と、を備える金管楽器であって、前記主管は、同一平面状において、側面を密着させた状態で渦巻状に広がるように形成された主管本体と、前記主管本体に基端部を取り付け、前記主管本体の厚さ方向に前記基端部と互い違いとなり、前記主管本体の側面に先端部を位置させて、前記マウスピース側と接続する主管接続部と、を有し、前記主管本体における前記密着した一方の管の側面の一部が、前記密着した他方の管の側面の一部を形成することを特徴とする。
【０００８】
請求項１に記載された発明によれば、側面を密着させた状態で旋回させた主管における、密着した一方の管の側面の一部を、密着した他方の管の側面の一部とすることで、密着させた間の側面の厚さを低減させるとともに、側面を形成する部材の量も減らすことで、金管楽器の小型化および軽量化を実現することができる。また、請求項１に記載された発明によれば、同一平面状で渦巻状に広がる主管本体と、主管本体の側面に先端部を位置させ、主管本体とマウスピース側とを接続する主管接続部と、に分けて主管を構成することで、渦巻状の主管本体に主管接続部の先端部が重なっても、金型の抜き方向を確保することができ、金型により主管を樹脂成型することができる。
【０００９】
請求項２に記載の発明は、請求項１に記載された金管楽器であって、前記主管は、樹脂製部材で成形されていることを特徴とする。
【００１０】
請求項２に記載された発明によれば、ベル側の端部へ向かうにつれて渦巻状に広がる主管を、樹脂製部材とすることで、金属製の管を渦巻状に屈曲させたものに比べて、全長に渡って管の真円を保ちながら、徐々にベル側へ管径を大きくして、主管を小型にしながら、音を徐々に整えながらベル側へ送り、綺麗な音を放出することができる。
【発明の効果】
【００１３】
本発明により、小型軽量化を実現する金管楽器を提供することができる。
【図面の簡単な説明】
【００１４】
【図１】第１実施形態の金管楽器の正面図である。
【図２】第１実施形態の金管楽器の側面図である。
【図３】図１に示す金管楽器の展開図である。
【図４】図１に示す金管楽器のＡ−Ａ断面図である。
【図５】図２に示す金管楽器のＢ−Ｂ断面図である。
【図６】図１に示す金管楽器の抜差管を管長の長いものに交換したときの正面図である。
【図７】第２実施形態の金管楽器の正面図である。
【図８】第２実施形態の金管楽器の側面図である。
【図９】図７に示す金管楽器の展開図である。
【図１０】（Ａ）は図９の渦巻状主管本体の展開図であり、（Ｂ）は（Ａ）に示す渦巻状主管本体の後方から見た展開図である。
【図１１】（Ａ）は図９の主管接続部の展開図であり、（Ｂ）は（Ａ）に示す主管接続部の後方から見た展開図である。
【図１２】（Ａ）は図1０（Ａ）の渦巻状半管のＣ部拡大図であり、（Ｂ）は図１０（Ｂ）の渦巻状半管のＤ部拡大図であり、（Ｃ）は図１１（Ａ）の接続半管のＥ部拡大図であり、（Ｄ）は図１１（Ｂ）の接続半管のＦ部拡大図である。
【図１３】（Ａ）は図９のマウスパイプの展開図であり、（Ｂ）は（A）に示すマウスパイプの後方から見た展開図である。
【図１４】（Ａ）は図９の抜差管の展開図であり、（Ｂ）は（A）に示す抜差管の後方から見た展開図である。
【図１５】（Ａ）は図９のベルの展開図であり、（Ｂ）は（A）に示すベルの後方から見た展開図である。
【図１６】他の実施形態における金管楽器の概略図である。
【図１７】従来の金管楽器の構成を示す模式図である。
【発明を実施するための形態】
【００１５】
（第１実施形態）
第１実施形態の金管楽器１００について説明する。以下で説明する実施形態において、各構成部品の説明にある寸法、材質、形状、その相対配置などは、あくまで例示である。また、各図面に示されるＸ軸、Ｙ軸、Ｚ軸の方向は全て共通である。
【００１６】
図１は第１実施形態の金管楽器１００の正面図であり、図２は第１実施形態の金管楽器１００をベル３０側から視認したときの側面図である。
【００１７】
図１、図２に示す金管楽器１００は、トランペットの一種であるナチュラルトランペットである。従前のトランペットにおいて、マウスピース２０とベル３０とを連通するための主管は、一方向に長尺となる長円形状となっているのが一般的である。これに対し本実施形態の金管楽器１００の渦巻状主管１０は、図１で示すように、一つの管が回旋状（旋回するように）に複数回巻き付いた渦巻形状となっている。
【００１８】
金管楽器１００は、渦巻状主管１０、マウスパイプ１０Ａ、マウスピース２０、ベル３０、および抜差管４０を有する。また金管楽器１００には、これら各部材を連結するための部位である連結部位５０Ａ、５０Ｂ、５０Ｃ、５０Ｄが設けられている。
【００１９】
マウスピース２０は、奏者の唇の振動を音に変えて内部へ取り込む部材である。マウスパイプ１０Ａおよび抜差管４０は、マウスピース２０と渦巻状主管１０とを連通するための部材である。マウスパイプ１０Ａの外見は長尺の円筒形状となっており、抜差管４０の外見はＵ字形状となっている。
【００２０】
渦巻状主管１０は、マウスピース２０とベル３０の間に位置する（介在する）主管である。渦巻状主管１０は、外観上、管の側面を密着させた状態で複数回旋廻するように形成されている。また渦巻状主管１０は、マウスピース２０側の端部からベル３０側の端部へ向かうにつれて、渦巻形状に広がるように形成されている。
【００２１】
本実施形態において、渦巻状主管１０およびマウスパイプ１０Ａは、例えばABS樹脂やセルロースナノファイバーなどの樹脂製部材（以下、「樹脂製部材」という。）で形成されている。また金管楽器１００がナチュラルトランペットであることから、本実施形態の渦巻状主管１０には、従来例のような音程を変化させる調整バルブなどは設けられていない。
【００２２】
ベル３０は、マウスピース２０で取り込まれた音の音量を拡大して、外部へ放出する。ベル３０は、図１、図２で示すように、例えば開口端部３０aに向けて末広がりとなるラッパ形状をしている。
【００２３】
奏者の唇から発する振動は、マウスピース２０により音に変換されて、この音がマウスパイプ１０Ａ、抜差管４０、渦巻状主管１０を経由してベル３０で増幅され、外部へ放出される。
【００２４】
図３は、金管楽器１００の各部位を展開した状態を示す展開図である。
【００２５】
図３で示すように、渦巻状主管１０は、マウスピース２０、ベル３０、および抜差管４０から分離することができる。このように分離可能とすることで、マウスピース２０、抜差管４０、ベル３０については他の既製品に交換することも可能となる。これに対し、渦巻状主管１０とマウスパイプ１０Ａとは、互いに一部が接合しており、その表面が連続性を持つように一体化された１つの部材となっている。
【００２６】
マウスピース２０は、連結部位５０Ａに挿入されることでマウスパイプ１０Ａと連結する。また抜差管４０も、連結部位５０Ｂに挿入されることでマウスパイプ１０Ａと連結するとともに、連結部位５０Ｃに挿入されることで渦巻状主管１０と連結する。そしてベル３０は、基端部３０ｃの外周のねじ３０ｂを連結部位５０Ｄの内側のねじ溝１２Ｃに螺合して、渦巻状主管１０と連結する。
【００２７】
奏者が金管楽器１００を用いて演奏する際、各部位が連結部位５０Ａ、５０Ｂ、５０Ｃ、５０Ｄを介して連結し、一体となって連通することで、金管楽器１００は図１、図２に示す組み立て状態となる。
【００２８】
図４は、図１に示す金管楽器１００のＡ−Ａ断面図であり、図５は、図２に示す金管楽器１００のＢ−Ｂ断面図である。また図４においては、渦巻状主管１０の要所ごとの管径寸法も図示している（単位はミリメートル）。
【００２９】
渦巻状主管１０は、管が回旋状に巻き付いた渦巻形状となっているが、一部の隣接する管同士においては、１つの内壁（側面）１１を共有する構成となっている。具体的に説明すると、渦巻状主管１０の任意の部分である管１２Ａと、当該管１２Ａと隣接する隣接管１２Ｂにおいて、本来は、
・管１２Ａの内空間−管１２Ａの側壁−隣接管１２Ｂの側壁−隣接管１２Ｂの内空間
と並ぶところ、本実施形態の金管楽器１００は、
・管１２Ａの内空間−内壁１１−隣接管１２Ｂの内空間
の構成となる。換言すると、本実施形態の金管楽器１００は、渦巻状主管１０の管同士が相互で密着している箇所において、一方の管（管１２Ａ）の側面（内壁１１）の一部が、他方の管（隣接管１２Ｂ）の側面の一部を形成する構成となっている。
【００３０】
本実施形態のように、一方の管の側面１１の一部が他方の管の側面１１の一部を形成する構成とすることで、金管楽器１００の軽量化および小型化を図ることができる。小型化に関しては、図５で示すように、用紙サイズの規格であるＡ４サイズ（２１０ｍｍ×２９７ｍｍ）に、マウスピース２０を外した状態の金管楽器１００を収める程度にまで小型にすることができる。このように本実施形態では、少なくとも金管楽器１００の正面向きのサイズをＡ４サイズに収めることができる。
【００３１】
また、本実施形態では、図４で示すように、渦巻状主管１０を、樹脂製部材で成形するとともにマウスピース２０側の端部からベル３０側の端部へ向かうにつれて、渦巻状に広がるように形成することで、マウスピース２０内に取り込まれた音を渦巻状主管１０内で整えながらベル３０へ送ることができる。
【００３２】
さらに、本実施形態では、渦巻状主管１０を、樹脂製部材で渦巻形状とすることで、射出成型機などを用いれば、金属の管を曲げた際に生じる管の潰れ等が生じることがなく、図４で示すように渦巻状主管１０全体に渡って真円を保った状態にすることができる。すなわち、本実施形態では、渦巻状主管１０を樹脂製部材で成形することで、渦巻形状をした管の全長に渡って真円状態を保つことができ、ベル３０から放出される音を、金属を曲げて形成した金管楽器に比べて、綺麗にすることができる。
【００３３】
図６は、抜差管４０とは管の長さ（管長）が異なる抜差管６０を連結させた構成を示す図である。金管楽器１００は、抜差管４０を交換することでＦ管、Ｅ♭管、Ｄ管、Ｃ管に切り替えることができる。本実施形態では、金管楽器１００の全長が１８９０ｍｍ、２１３５ｍｍ、２２７６ｍｍ、２５８２ｍｍとなるような抜差管６０を用いることで、Ｆ管、Ｅ♭管、Ｄ管、Ｃ管の切り替えを実現している。
【００３４】
また図６で示すように、抜差管６０がたとえ長尺の管となっても、管をＹ軸方向（Ｘ−Ｚ平面に対する垂直方向）に折り重なる構成とすることで、図５に示す程度の小型化、すなわちＡ４サイズに収まる程度にまで小型にすることができる。
【００３５】
本実施形態のように、渦巻状主管１０を、渦巻形状にするとともに隣接する管の側面１１の一部を共有することで、軽量化および小型化を図ることができる。また軽量化に関しては、本実施形態のように金管楽器１００の少なくとも一部（本実施形態では渦巻状主管１０およびマウスパイプ１０Ａ）を樹脂製部材とすることで、金属製の管に比べて軽量化することができる。本実施形態のように小型軽量化を図ることで、持ち運びを容易とし、演奏の際にも奏者は金管楽器１００を楽に支えることができる。
【００３６】
また、渦巻状主管１０とマウスパイプ１０Ａとを、連続性を持つ一体化された１つの部材とすることで、金管楽器１００の強度を増すことができる。仮に渦巻状主管１０とマウスパイプ１０Ａとが別体となっているとすると、組み立てた際には、抜差管４０、マウスパイプ１０Ａ、マウスピース２０により構成される部位と、渦巻状主管１０とが、連結部位５０Ｃで連結するのみの別体構成となる。この場合、抜差管４０、マウスパイプ１０Ａ、マウスピース２０により構成される部位は、比較的長めの部材となるとともに、マウスピース２０の端部（奏者が息を吹き付ける側の端部）が自由端となっていることから、構造上不安定なものとなる。例えば、奏者の唇がマウスピース２０に触れる際、たとえ渦巻状主管１０を支えていても、抜差管４０、マウスパイプ１０Ａ、マウスピース２０により構成される部位が揺れる可能性がある。また金管楽器１００に衝撃が加わると、連結部位５０Ｃ付近に過大な負荷がかかり、衝撃に耐えきれずに破損する可能性がある。このようなリスクは、抜差管４０よりも長尺の抜差管６０に交換すると、さらに顕著となる。
【００３７】
本実施形態のように、抜差管４０とマウスピース２０との間に、渦巻状主管１０と一体となったマウスパイプ１０Ａを介在させることで、長尺部材となるのを抑制することができ、金管楽器１００の強度を増すことができる。
【００３８】
また、本実施形態の金管楽器１００は、ナチョラルトランペットのような管長を低次倍音のトランペットの管長の約２倍の管長をしたものであっても、管を回旋状に巻き付けた渦巻形状にするとともに、隣接する側壁１１の一部を共有させた渦巻状主管１０とすることで、正面視における渦巻状主管１０の大きさをA4サイズに収まる大きさまで小型化することができる。
【００３９】
（第２実施形態）
第２実施形態の金管楽器１００’について説明する。本実施形態のマウスピース２０、マウスパイプ１５、渦巻状主管１０’、抜差管４０’およびベル３０’の各役割は、第１実施形態と同一であり、マウスピース２０の構成は、第１実施形態と同一であるため、同一符号を付し、ここでの説明は省略する。
【００４０】
図７は、第２実施形態の金管楽器１００’の正面図であり、図８は第２実施形態の金管楽器１００’の側面図であり、図９は図７に示す金管楽器１００’の各部位を展開した状態を示す展開図である。
【００４１】
金管楽器１００は、図７乃至図９で示すように、渦巻状主管（主管）１０’、マウスパイプ１５、マウスピース２０、抜差管４０’およびベル３０’を備える。また、金管楽器１００’には、これらの各部材を連結するための部位である連結部位５０Ａ’、５０Ｂ’、５０Ｃ’、５０Ｄ’が設けられている。
【００４２】
渦巻状主管１０’は、図７、図９で示すように、同一平面状において、側面１３ｃを密着させた状態で渦巻形状に広がるように形成した渦巻状主管本体（主管本体）１３と、渦巻状主管本体１３に基端部１４aを取り付け、渦巻状主管本体１３の厚さ方向において基端部１４aと互い違いとなるように、渦巻状主管本体１３の側面１３ｃに先端部１４ｂを位置させた主管接続部１４と、からなる。
【００４３】
渦巻状主管本体１３は、第１実施形態の渦巻状主管１０’と同様に、管が回旋状（旋回するように）に複数回巻き付いた渦巻形状をしており、隣接する管同士における内壁（側面）１３ｃの一部が共有する構成となっている。
【００４４】
この渦巻状主管本体１３の一方の端部には、ベル３０’の基端部３０ｃ’の外周のねじ３０ｂ’に螺合するねじ溝１２Ｃ’を内側に形成した連結部位５０Ｄ’が形成されており、他方の端面には、凹部１３Ｂ２が形成されている。
【００４５】
主管接続部１４は、図７乃至図９で示すように、略リング形状をしたものであり、先端部１４ｂには、抜差管４０’の端部を挿入する連結部位５０Ｃ’が形成されている。この主管接続部１４の基端部１４ａには、凹部１３Ｂ２と勘合する凸部１４ｃが形成されている。
【００４６】
マウスパイプ１５は、図７乃至図９で示すように、長尺の円筒形状をしており、一端側には抜差管４０’、他端側にはマウスパイプ１５、が挿入可能に形成されている。
【００４７】
本実施形態の金管楽器１００’は、渦巻状主管本体１３における、連結部位５０Ｄ’にベル３０’を螺合し、凸部１４cに凹部１３Ｂ２を勘合するとともに、主管接続部１４の連結部位５０Ｃ’およびマウスパイプ１５の一端側に抜差管４０’を挿入し、マウスパイプ１５の他端側にマウスピース２０を挿入することで、渦巻状主管本体１３、主管接続部１４、マウスパイプ１５、マウスピース２０を一体的に組み付けることができる。
【００４８】
また、本実施形態の金管楽器１００’は、渦巻状主管１０’を、同一平面状において、側面１３ｃを密着させた状態で渦巻形状に広がるように形成した渦巻状主管本体１３と、渦巻状主管本体１３の厚さ方向において、基端部１４ａに対して先端部１４ｂを互い違いとした主管接続部１４と、に分けて構成することで、金型の抜き方向を確保することができるため、渦巻状主管１０’を金型で成形することができる。
【００４９】
さらに、本実施形態の金管楽器１００’を構成する渦巻状主管本体１３、主管接続管１４、マウスパイプ１５、ベル３０’、および抜差管４０’は、次に説明するように一対の分割した半管等により形成することで、金型を用いた樹脂成型も可能となる。この具体的な構成を次に説明する。
【００５０】
図１０（Ａ）は図９の渦巻状主管本体１３の展開図であり、（Ｂ）は（Ａ）に示す渦巻状主管本体１３の後方から見た展開図であり、図１１（Ａ）は図９の主管接続部１４の展開図であり、（Ｂ）は（Ａ）に示す主管接続部１４の後方から見た展開図であり、図１２（Ａ）は図1０（Ａ）の渦巻状半管１３ＢのＣ部拡大図であり、（Ｂ）は図１０（Ｂ）の渦巻状半管１３ＡのＤ部拡大図であり、（Ｃ）は図１１（Ａ）の接続半管１４ＢのＥ部拡大図であり、（Ｄ）は図１１（Ｂ）の接続半管１４ＡのＦ部拡大図であり、図１３（Ａ）は図９のマウスパイプ１５の展開図であり、（Ｂ）は（A）に示すマウスパイプ１５の後方から見た展開図であり、図１４（Ａ）は図９の抜差管４０’の展開図であり、（Ｂ）は（A）に示す抜差管４０’の後方から見た展開図であり、図１５（Ａ）は図９のベル３０’の展開図であり、（Ｂ）は（A）に示すベル３０’の後方から見た展開図である。
【００５１】
渦巻状主管本体１３、主管接続部１４、マウスパイプ１５および抜差管４０’は、図１０乃至図１４で示すように、一対の、渦巻状半管１３Ａ、１３Ｂ、接続半管１４Ａ、１４Ｂ、半割マウスパイプ１５Ａ、１５Ｂおよび抜差半管４０Ａ、４０Ｂからなる。これらの渦巻状半管１３Ａ、１３Ｂ、接続半管１４Ａ、１４Ｂ、半割マウスパイプ１５Ａ、１５Ｂおよび抜差半管４０Ａ、４０Ｂは、樹脂製部材からなり、各合わせ面には凸部１３Ｂ１、１４Ｂ１、１５Ａ１、４０Ａ１、３０Ａ１と凹部１３Ｂ２、１４Ａ１、１５Ｂ１、４０Ｂ１、３０Ｂ１が形成されている。
【００５２】
渦巻状半管１３Ｂの外周面には、図１０（A）で示すように、半割マウスパイプ１５Ａの連結部位５０Ａ’を勘合する凹み部１３Ｂ３が形成されている。また、半割マウスパイプ１５Ａの外面には、図１２（B）で示すように、渦巻状半管１３Ｂの外面が勘合する溝部１５Ａ２が形成されている。
【００５３】
また、ベル３０’は、図１３で示すように、長手方向に分割され、樹脂製部材からなる一対の半割ベル３０Ａ、３０Ｂからなる。この半割ベル３０Ａ、３０Ｂの合わせ面には、凹部３０Ｂ１と凸部３０Ａ１が形成されている。
【００５４】
本実施形態の金管楽器１００’は、渦巻状主管本体１３、主管接続部１４、マウスパイプ１５、抜差管４０’およびベル３０’を、一対の渦巻状半管１３Ａ、１３Ｂ、接続半管１４Ａ、１４Ｂ、半割マウスパイプ１５Ａ、１５Ｂ、抜差半管４０Ａ、４０Ｂおよび半割ベル３０Ａ、３０Ｂで構成することで、金型の抜き方向に引っ掛かる部位をなくし、金型を用いて簡単に樹脂成型することができる。
【００５５】
本実施形態の金管楽器１００’は、図１０乃至図１５で示すように、一対の、渦巻状半管１３Ａ、１３Ｂ、接続半管１４Ａ、１４Ｂ、半割マウスパイプ１５Ａ、１５Ｂ、抜差半管４０Ａ、４０Ｂおよび半割ベル３０Ａ、３０Ｂの各合わせ面に形成された凹部１３Ｂ２、１４Ａ１、１５Ｂ１、４０Ｂ１、３０Ｂ１に凸部１３Ｂ１、１４Ｂ１、１５Ａ１、４０Ａ１、３０Ａ１を勘合することで、簡単に渦巻状主管本体１３、主管接続部１４、マウスパイプ１５、抜差管４０およびベル３０’を一体的に組み付けることができる。
【００５６】
同様に、本実施形態の金管楽器１００’は、渦巻状主管本体１３の凹部１３ｂと主管接続部１４の凸部１４ｃを勘合することで、簡単に渦巻状主管本体１３と主管接続部１４を一体的に組み付けて、渦巻状主管１０’を形成することができる。
【００５７】
本実施形態の金管楽器１００’は、図１０乃至図１５で示すように、一対の渦巻状半管１３Ａ、１３Ｂ、接続半管１４Ａ、１４Ｂ、半割マウスパイプ１５Ａ、１５Ｂ、抜差半管４０Ａ、４０Ｂおよび半割ベル３０Ａ、３０Ｂを組み合わせて形成することで、各構成部品を金型を用いて樹脂成型する際に、金型の抜き方向を簡単に確保することができる。
【００５８】
また、本実施形態の金管楽器１００’は、渦巻状半管１３Ｂの凹み部１３Ｂ３にマウスパイプ半管１５Ａの連結部位５０Ａを、マウスパイプ半管15Ａの溝部１５Ａ２に渦巻状半管１３Ｂを勘合させることで、渦巻状主管本体１３に対してマウスパイプ１５の位置を固定し、奏者が金管楽器１００’を演奏する際にマウスパイプ１５および抜差管４０’の揺れを低減させることができる。
【００５９】
さらに、本実施形態の金管楽器１００’は、第１実施形態の金管楽器１００と同様に、密着した一方の管の側面１３Ｃの一部が密着した他方の管の側面１３Ｃの一部を形成することで、金管楽器１００’の軽量化および小型化も図ることができる。
【００６０】
またさらに、本実施形態の金管楽器１００’は、第１実施形態の金管楽器１００と同様に、渦巻状主管１０’を樹脂製部材で成形し、渦巻状主管１０’の管径をベル３０’側へ向かうにつれて大きくするとともに管の全長に渡って真円状態を保つことで、マウスピース２０内に取り込まれた音を整えながらベル３０’側へ送り、ベル３０’から放出される音を綺麗にすることもできる。
【００６１】
（他の実施形態）
第１実施形態および第２実施形態において、主管１０、１０’を渦巻形状とする構成として説明したが、図１６で示すように、主管１０’’を、長円形状で複数回旋回するように形成する構成としても良い。この場合、主管１０’’における隣接する各側壁の一部は、第１実施形態および第２実施形態の渦巻状主管１０’’と同様に、共有する構成とする。このように隣接する側壁の一部を共有化することで、金管楽器１００’’全体を小型化するとともに軽量化することができる。
【００６２】
また、第２実施形態の金管楽器１００’’において、マウスパイプ１５、抜差管４０’およびベル３０’を、一対のマウスパイプ半管１５Ａ、１５Ｂ、抜差半管４０Ａ、４０Ｂおよび半割ベル３０Ａ、３０Ｂにより構成するものとして説明したが、第１実施形態と同様に１つの構成部品により形成しても良い。
【００６３】
さらに、第２実施形態の金管楽器１００’において、一対の、渦巻状半管１３Ａ、１３Ｂ、接続半管１４Ａ、１４Ｂ、半割マウスパイプ１５Ａ、１５Ｂ、抜差半管４０Ａ、４０Ｂおよび半割ベル３０Ａ、３０Ｂにおける合わせ面に、凸部１３Ｂ１、１４Ｂ１、１５Ａ１、４０Ａ１、３０Ａ１と凹部１３Ｂ２、１４Ａ１、１５Ｂ１、４０Ｂ１、３０Ｂ１を形成して、渦巻状主管本体１３、主管接続部１４、マウスパイプ１５、抜差管４０’およびベル３０’を一体的に組み付ける構成として説明したが、特に一体的に組み付けられる構成であれば、これに限られるものではない。
【００６４】
本実施形態では、トランペットの一種であるナチュラルトランペットを一例にして説明したが、金管楽器全般に本実施形態の態様を適用させることができる。
【００６５】
以上、本実施形態の態様により、小型軽量化を実現する金管楽器１００、１００’、１００’’を提供することができる。
【００６６】
本発明は、その精神または主要な特徴から逸脱することなく。他の様々な形で実施することができる。そのため、前述の実施の形態はあらゆる点で単なる例示に過ぎず、限定的に解釈してはならない。本発明の範囲は、特許請求の範囲によって示すものであって、明細書本文には、なんら拘束されない。さらに、特許請求の範囲の均等範囲に属する全ての変形、様々な改良、代替及び改質は、すべて本発明の範囲内のものである。
【符号の説明】
【００６７】
１０、１０’、１０’’：渦巻状主管（主管）
１０Ａ：マウスパイプ
１１：内壁（側面）
１２Ａ、１２Ｂ：管
１２Ｃ、１２Ｃ’：ねじ溝
１３：渦巻状主管本体(主管本体)
１３a、１３a’:ねじ溝
１３ｂ：凹部
１３ｃ：側面
１３Ａ、１３Ｂ：渦巻状半管
１３Ａ１；凹部
１３Ｂ１：凸部
１３Ｂ２：凹部
１３Ｂ３：凹み部
１４：主管接続部
１４a：基端部
１４b：先端部
１４ｃ：凸部
１４Ａ、１４Ｂ：接続半管
１４Ａ１：凹部
１４Ｂ１：凸部
１５：マウスパイプ
１５Ａ、１５Ｂ：半割マウスパイプ
１５Ａ１：凸部
１５Ａ２：溝部
１５Ｂ１：凹部
２０：マウスピース
３０、３０’：ベル
３０a、３０a’：開口端部
３０b、３０ｂ’：ねじ
３０ｃ、３０ｃ’：基端部
３０Ａ、３０Ｂ：半割ベル
３０Ａ１：凸部
３０Ｂ１：凹部
４０、４０’、６０：抜差管
４０Ａ、４０Ｂ：抜差半管
４０Ａ１：凸部
４０Ｂ１：凹部
５０Ａ、５０Ａ’、５０Ｂ、５０Ｂ’、５０Ｃ、５０Ｃ’、５０Ｄ、５０Ｄ’：連結部位
１００、１００’、１００’’  ：金管楽器
【要約】
【課題】小型軽量化を実現する金管楽器を提供する。
【解決手段】金管楽器（１００）は、奏者の唇の振動を音に変えて内部へ取り込むマウスピース（２０）と、マウスピース（２０）で取り込まれた音の音量を拡大して外部へ放出するベル（３０）と、マウスピース（２０）とベル（３０）の間に介在する主管（１０）と、を有する金管楽器（１００）であって、主管（１０）は、側面（１１）を密着させた状態で旋廻するように形成されており、密着した一方の管の側面（１１）の一部が、密着した他方の管の側面（１１）の一部を形成することを特徴とする。
【選択図】図５【図１】
0006708839.tif 000002
【図２】
0006708839.tif 000003
【図３】
0006708839.tif 000004
【図４】
0006708839.tif 000005
【図５】
0006708839.tif 000006
【図６】
0006708839.tif 000007
【図７】
0006708839.tif 000008
【図８】
0006708839.tif 000009
【図９】
0006708839.tif 000010
【図１０】
0006708839.tif 000011
【図１１】
0006708839.tif 000012
【図１２】
0006708839.tif 000013
【図１３】
0006708839.tif 000014
【図１４】
0006708839.tif 000015
【図１５】
0006708839.tif 000016
【図１６】
0006708839.tif 000017
【図１７】
0006708839.tif 000018